(57)【要約】本発明は、再生調節方法および装置を提供し、より精密に再生進行を調整し、操作ミスを減らすようマルチメディア・ファイルの再生制御の分野に関する。本発明において提供される技術的解決策は：ユーザーによって入力されるステップおよび再生ハイブリッド調節操作を受領する段階であって、ステップおよび再生ハイブリッド調節操作は、ステップ・スピードについての調整操作および再生進行についての調節操作の両方を含む、段階と；ステップおよび再生ハイブリッド調節操作に従ってステップ・スピードおよび再生進行を調節する段階とを含む。本発明は、メディア・プレーヤーおよびタッチスクリーンを有する端末に適用される。
2016539441.tif 000002
【特許請求の範囲】
【請求項１】
メディア・プレーヤーおよびタッチスクリーンを有する端末に適用される再生調節方法であって：
ユーザーによって入力されるステップおよび再生ハイブリッド調節操作を受領する段階と；
前記ステップおよび再生ハイブリッド調節操作に従って前記ステップ・スピードおよび前記再生進行を調節する段階とを含み；
前記ステップおよび再生ハイブリッド調節操作は、前記ステップ・スピードについての調整操作および前記再生進行についての調節操作の両方を含み；
前記ステップ・スピードは、前記ユーザーが前記メディア・プレーヤー上で早送り／早戻し操作を実行するときに単位時間内に再生されるメディア・ファイルのフレームの量であり、
前記再生進行は、そこまで前記メディア・ファイルが再生されている位置である、
方法。
【請求項２】
前記ステップおよび再生ハイブリッド調節操作に従って前記ステップ・スピードおよび前記再生進行を調節する前記段階は、具体的には：
前記ステップおよび再生ハイブリッド調節操作に従って前記タッチスクリーン上での前記ステップおよび再生ハイブリッド調節操作の方向および前記ステップおよび再生ハイブリッド調節操作の移動距離を取得する段階と；
前記移動距離に従って前記ステップ・スピードに対する増大させるまたは減少させる調整を実行する段階と；
調整されたステップ・スピードおよび前記方向に従って前記再生進行を調節する段階とを含み；
前記端末は、移動距離の長さ値とステップ・スピードとの間の対応を記憶している、
請求項１記載の方法。
【請求項３】
前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記移動軌跡に従って前記ステップおよび再生ハイブリッド調節操作の最新の時刻において検出された座標および開始点座標を取得する段階と；
前記最新の時刻において検出された前記座標と前記開始点座標の間の距離に従って前記移動距離を取得する段階とを含み；
前記端末は、前記移動軌跡を取得するよう、事前設定された時間間隔で前記タッチスクリーンを検出し、時系列に基づいて最初に検出される前記移動軌跡の座標が前記タッチスクリーン上での前記ステップおよび再生ハイブリッド調節操作の前記開始点座標であり、時系列に基づいて最後に検出される前記移動軌跡の座標が前記タッチスクリーン上での前記ステップおよび再生ハイブリッド調節操作の前記最新の時刻において検出された前記座標である、
請求項２記載の方法。
【請求項４】
前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記ステップおよび再生ハイブリッド調節操作に従って前記ステップおよび再生ハイブリッド調節操作の前記方向を取得する段階と；
前記ステップおよび再生ハイブリッド調節操作の前記方向が第一の方向から第二の方向に転向する場合、前記ステップおよび再生ハイブリッド調節操作の前記移動軌跡に従って最新の時刻において検出された座標および転向点座標を取得する段階と；
前記最新の時刻において検出された前記座標と前記転向点座標の間の距離に従って前記移動距離を取得する段階とを含み；
前記端末は、前記移動軌跡を取得するよう、事前設定された時間間隔で前記タッチスクリーンを検出し、時系列に基づいて最後に検出される前記移動軌跡の座標が前記タッチスクリーン上での前記ステップおよび再生ハイブリッド調節操作の前記最新の時刻において検出された前記座標であり、前記転向点座標は、前記ステップおよび再生ハイブリッド調節操作の前記方向が前記第一の方向から前記第二の方向に転向した後前記端末によって検出される最初の座標であり；
前記第一の方向および前記第二の方向は事前設定された角度だけ異なっている、
請求項２記載の方法。
【請求項５】
メディア・プレーヤーおよびタッチスクリーンを有する端末に適用される再生調節装置であって：
ユーザーによって入力されるステップおよび再生ハイブリッド調節操作を受領するよう構成された受領ユニットと；
前記受領ユニットによって受領された前記ステップおよび再生ハイブリッド調節操作に従って前記ステップ・スピードおよび前記再生進行を調節するよう構成された調節ユニットとを含んでおり、
前記ステップおよび再生ハイブリッド調節操作は、前記ステップ・スピードについての調整操作および前記再生進行についての調節操作を含み；
前記ステップ・スピードは、前記ユーザーが前記メディア・プレーヤー上で早送り／早戻し操作を実行するときに単位時間内に再生されるメディア・ファイルのフレームの量であり、
前記再生進行は、そこまで前記メディア・ファイルが再生されている位置である、
装置。
【請求項６】
前記調節ユニットは、具体的には：
前記ステップおよび再生ハイブリッド調節操作に従って前記タッチスクリーン上での前記ステップおよび再生ハイブリッド調節操作の方向および前記ステップおよび再生ハイブリッド調節操作の移動距離を取得するよう構成された取得サブユニットと；
前記取得サブユニットによって取得された前記移動距離に従って前記ステップ・スピードに対する増大させるまたは減少させる調整を実行するよう構成された調整サブユニットと；
調整されたステップ・スピードおよび前記方向に従って前記再生進行を調節するよう構成された調節サブユニットとを含み；
前記端末は、移動距離の長さ値とステップ・スピードとの間の対応を記憶している、
請求項５記載の装置。
【請求項７】
前記取得サブユニットは、具体的には：
前記ステップおよび再生ハイブリッド調節操作に従って前記ステップおよび再生ハイブリッド調節操作の移動軌跡を取得するよう構成された第一移動軌跡取得モジュールと；
前記移動軌跡に従って前記ステップおよび再生ハイブリッド調節操作の最新の時刻において検出された座標および開始点座標を取得するよう構成された第一座標取得モジュールと；
前記第一座標取得モジュールによって取得された、前記最新の時刻において検出された前記座標と前記開始点座標の間の距離に従って前記移動距離を取得するよう構成された第一移動距離取得モジュールとを含み；
前記端末は、前記移動軌跡を取得するよう、事前設定された時間間隔で前記タッチスクリーンを検出し、時系列に基づいて最初に検出される前記移動軌跡の座標が前記タッチスクリーン上での前記ステップおよび再生ハイブリッド調節操作の前記開始点座標であり、時系列に基づいて最後に検出される前記移動軌跡の座標が前記タッチスクリーン上での前記ステップおよび再生ハイブリッド調節操作の前記最新の時刻において検出された前記座標である、
請求項６記載の装置。
【請求項８】
前記取得サブユニットは、具体的には：
前記ステップおよび再生ハイブリッド調節操作に従って前記ステップおよび再生ハイブリッド調節操作の移動軌跡を取得するよう構成された第二移動軌跡取得モジュールと；
前記ステップおよび再生ハイブリッド調節操作に従って前記ステップおよび再生ハイブリッド調節操作の前記方向を取得するよう構成された方向取得モジュールと；
前記ステップおよび再生ハイブリッド調節操作の、前記方向取得モジュールによって取得される前記方向が第一の方向から第二の方向に転向するとき、前記ステップおよび再生ハイブリッド調節操作の前記移動軌跡に従って最新の時刻において検出された座標および転向点座標を取得するよう構成された第二座標取得モジュールと；
前記第二座標取得モジュールによって取得される前記最新の時刻において検出された前記座標と前記転向点座標の間の距離に従って前記移動距離を取得するよう構成された第二移動距離取得モジュールとを含み；
前記端末は、前記移動軌跡を取得するよう、事前設定された時間間隔で前記タッチスクリーンを検出し、時系列に基づいて最後に検出される前記移動軌跡の座標が前記タッチスクリーン上での前記ステップおよび再生ハイブリッド調節操作の前記最新の時刻において検出された前記座標であり、前記転向点座標は、前記ステップおよび再生ハイブリッド調節操作の前記方向が前記第一の方向から前記第二の方向に転向した後前記端末によって検出される最初の座標であり；
前記第一の方向および前記第二の方向は事前設定された角度だけ異なっている、
請求項６記載の装置。
【請求項９】
メディア・プレーヤーおよびタッチスクリーンを有する端末に適用される再生調節装置であって：
ユーザーによって入力されるステップおよび再生ハイブリッド調節操作を受領するよう構成された受領器と；
前記受領器によって受領された前記ステップおよび再生ハイブリッド調節操作に従って前記ステップ・スピードおよび前記再生進行を調節するよう構成された処理器とを含んでおり、
前記ステップおよび再生ハイブリッド調節操作は、前記ステップ・スピードについての調整操作および前記再生進行についての調節操作を含み；
前記ステップ・スピードは、前記ユーザーが前記メディア・プレーヤー上で早送り／早戻し操作を実行するときに単位時間内に再生されるメディア・ファイルのフレームの量であり、
前記再生進行は、そこまで前記メディア・ファイルが再生されている位置である、
装置。
【請求項１０】
前記処理器が前記ステップおよび再生ハイブリッド調節操作に従って前記ステップ・スピードおよび前記再生進行を調節することは、具体的には：
前記ステップおよび再生ハイブリッド調節操作に従って前記タッチスクリーン上での前記ステップおよび再生ハイブリッド調節操作の方向および前記ステップおよび再生ハイブリッド調節操作の移動距離を取得する段階と；
前記移動距離に従って前記ステップ・スピードに対する増大させるまたは減少させる調整を実行する段階と；
調整されたステップ・スピードおよび前記方向に従って前記再生進行を調節する段階とを含み；
前記端末は、移動距離の長さ値とステップ・スピードとの間の対応を記憶している、
請求項９記載の装置。
【請求項１１】
前記処理器によって前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記移動軌跡に従って前記ステップおよび再生ハイブリッド調節操作の最新の時刻において検出された座標および開始点座標を取得する段階と；
前記最新の時刻において検出された前記座標と前記開始点座標の間の距離に従って前記移動距離を取得する段階とを含み；
前記端末は、前記移動軌跡を取得するよう、事前設定された時間間隔で前記タッチスクリーンを検出し、時系列に基づいて最初に検出される前記移動軌跡の座標が前記タッチスクリーン上での前記ステップおよび再生ハイブリッド調節操作の前記開始点座標前記開始点座標であり、時系列に基づいて最後に検出される前記移動軌跡の座標が前記タッチスクリーン上での前記ステップおよび再生ハイブリッド調節操作の前記最新の時刻において検出された前記座標である、
請求項１０記載の装置。
【請求項１２】
前記処理器によって前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記ステップおよび再生ハイブリッド調節操作に従って前記ステップおよび再生ハイブリッド調節操作の前記方向を取得する段階と；
前記ステップおよび再生ハイブリッド調節操作の前記方向が第一の方向から第二の方向に転向する場合、前記ステップおよび再生ハイブリッド調節操作の前記移動軌跡に従って最新の時刻において検出された座標および転向点座標を取得する段階と；
前記最新の時刻において検出された前記座標と前記転向点座標の間の距離に従って前記移動距離を取得する段階とを含み；
前記端末は、前記移動軌跡を取得するよう、事前設定された時間間隔で前記タッチスクリーンを検出し、時系列に基づいて最後に検出される前記移動軌跡の座標が前記タッチスクリーン上での前記ステップおよび再生ハイブリッド調節操作の前記最新の時刻において検出された前記座標であり、前記転向点座標は、前記ステップおよび再生ハイブリッド調節操作の前記方向が前記第一の方向から前記第二の方向に転向した後前記端末によって検出される最初の座標であり；
前記第一の方向および前記第二の方向は事前設定された角度だけ異なっている、
請求項１０記載の装置。
【発明の詳細な説明】
【技術分野】
【０００１】
本発明はマルチメディア・ファイルの再生制御の分野に関し、詳細には再生調節方法および装置に関する。
【背景技術】
【０００２】
現在、ユーザーがモバイル端末を使ってマルチメディア・ファイルを再生することが主流の再生様式になっている。マルチメディア・ファイルの再生の間、ユーザーは一般に、再生プロセスにおける進行バーをドラッグすることによって、再生の進行を調節する目的を達成する。しかしながら、実際の使用の際、ユーザーはしばしば進行バーをドラッグする距離を精密に制御できない。したがって、再生進行はユーザーの必要性に従って正確に調整されることができない。
【発明の概要】
【０００３】
本発明の実施形態は、より精密に再生進行を調整するよう再生調節方法および装置を提供する。
【０００４】
上記の目的を達成するために、本発明の実施形態では以下の技術的解決策が採用される。
【０００５】
第一の側面によれば、本発明のある実施形態は、メディア・プレーヤーおよびタッチスクリーンを有する端末に適用される再生調節方法であって：
ユーザーによって入力されるステップおよび再生ハイブリッド調節操作を受領する段階と；
ステップおよび再生ハイブリッド調節操作に従ってステップ・スピードおよび再生進行を調節する段階を含み；
ステップおよび再生ハイブリッド調節操作は、ステップ・スピードについての調整操作および再生進行についての調節操作の両方を含み；
ステップ・スピードは、ユーザーがメディア・プレーヤー上で早送り／早戻し操作を実行するときに単位時間内に再生されるメディア・ファイルのフレームの量であり、
再生進行は、そこまでメディア・ファイルが再生されている位置である、
方法を提供する。
【０００６】
第一の側面を参照するに、第一の側面の第一の可能な実装様式では、ステップおよび再生ハイブリッド調節操作に従ってステップ・スピードおよび再生進行を調節する段階は、具体的には：
ステップおよび再生ハイブリッド調節操作に従ってタッチスクリーン上でのステップおよび再生ハイブリッド調節操作の方向およびステップおよび再生ハイブリッド調節操作の移動距離を取得する段階と；
移動距離に従ってステップ・スピードに対する増大させるまたは減少させる調整を実行する段階と；
調整されたステップ・スピードおよび前記方向に従って再生進行を調節する段階とを含み；
前記端末は、移動距離の長さ値とステップ・スピードとの間の対応を記憶している。
【０００７】
第一の側面の第一の可能な実装様式を参照するに、第一の側面の第二の可能な実装様式では、ステップおよび再生ハイブリッド調節操作に従ってタッチスクリーン上でのステップおよび再生ハイブリッド調節操作の移動距離を取得することは、具体的には：
ステップおよび再生ハイブリッド調節操作に従ってステップおよび再生ハイブリッド調節操作の移動軌跡を取得する段階と；
前記移動軌跡に従ってステップおよび再生ハイブリッド調節操作の最新の時刻において検出された座標および開始点座標を取得する段階と；
前記最新の時刻において検出された座標と開始点座標の間の距離に従って前記移動距離を取得する段階とを含み；
前記端末は、前記移動軌跡を取得するよう、事前設定された時間間隔でタッチスクリーンを検出し、時系列に基づいて最初に検出される前記移動軌跡の座標が前記タッチスクリーン上でのステップおよび再生ハイブリッド調節操作の前記開始点座標であり、時系列に基づいて最後に検出される前記移動軌跡の座標が前記タッチスクリーン上でのステップおよび再生ハイブリッド調節操作の前記最新の時刻において検出された座標である。
【０００８】
第一の側面の第一の可能な実装様式を参照するに、第一の側面の第三の可能な実装様式では、ステップおよび再生ハイブリッド調節操作に従ってタッチスクリーン上でのステップおよび再生ハイブリッド調節操作の移動距離を取得することは、具体的には：
ステップおよび再生ハイブリッド調節操作に従ってステップおよび再生ハイブリッド調節操作の移動軌跡を取得する段階と；
ステップおよび再生ハイブリッド調節操作に従ってステップおよび再生ハイブリッド調節操作の方向を取得する段階と；
ステップおよび再生ハイブリッド調節操作の方向が第一の方向から第二の方向に転向する場合、ステップおよび再生ハイブリッド調節操作の前記移動軌跡に従って最新の時刻において検出された座標および転向点座標を取得する段階と；
前記最新の時刻において検出された座標と転向点座標の間の距離に従って前記移動距離を取得する段階とを含み；
前記端末は、前記移動軌跡を取得するよう、事前設定された時間間隔でタッチスクリーンを検出し、時系列に基づいて最後に検出される前記移動軌跡の座標が前記タッチスクリーン上でのステップおよび再生ハイブリッド調節操作の前記最新の時刻において検出された座標であり、前記転向点座標は、ステップおよび再生ハイブリッド調節操作の方向が第一の方向から第二の方向に転向した後前記端末によって検出される最初の座標であり；
前記第一の方向および前記第二の方向は事前設定された角度だけ異なっている。
【０００９】
第二の側面によれば、本発明のある実施形態は、メディア・プレーヤーおよびタッチスクリーンを有する端末に適用される再生調節装置であって：
ユーザーによって入力されるステップおよび再生ハイブリッド調節操作を受領するよう構成された受領ユニットと；
前記受領ユニットによって受領されたステップおよび再生ハイブリッド調節操作に従ってステップ・スピードおよび再生進行を調節するよう構成された調節ユニットとを含んでおり、
ステップおよび再生ハイブリッド調節操作は、ステップ・スピードについての調整操作および再生進行についての調節操作を含み；
ステップ・スピードは、ユーザーがメディア・プレーヤー上で早送り／早戻し操作を実行するときに単位時間内に再生されるメディア・ファイルのフレームの量であり、
再生進行は、そこまでメディア・ファイルが再生されている位置である、
装置を提供する。
【００１０】
第二の側面を参照するに、第二の側面の第一の可能な実装様式では、調節ユニットは、具体的には：
ステップおよび再生ハイブリッド調節操作に従ってタッチスクリーン上でのステップおよび再生ハイブリッド調節操作の方向およびステップおよび再生ハイブリッド調節操作の移動距離を取得するよう構成された取得サブユニットと；
取得サブユニットによって取得された移動距離に従ってステップ・スピードに対する増大させるまたは減少させる調整を実行するよう構成された調整サブユニットと；
調整されたステップ・スピードおよび前記方向に従って再生進行を調節するよう構成された調節サブユニットとを含み；
前記端末は、移動距離の長さ値とステップ・スピードとの間の対応を記憶している。
【００１１】
第二の側面の第一の可能な実装様式を参照するに、第二の側面の第二の可能な実装様式では、前記取得サブユニットは、具体的には：
ステップおよび再生ハイブリッド調節操作に従ってステップおよび再生ハイブリッド調節操作の移動軌跡を取得するよう構成された第一移動軌跡取得モジュールと；
前記移動軌跡に従ってステップおよび再生ハイブリッド調節操作の最新の時刻において検出された座標および開始点座標を取得するよう構成された第一座標取得モジュールと；
第一座標取得モジュールによって取得された、前記最新の時刻において検出された座標と開始点座標の間の距離に従って前記移動距離を取得するよう構成された第一移動距離取得モジュールとを含み；
前記端末は、前記移動軌跡を取得するよう、事前設定された時間間隔でタッチスクリーンを検出し、時系列に基づいて最初に検出される前記移動軌跡の座標が前記タッチスクリーン上でのステップおよび再生ハイブリッド調節操作の前記開始点座標前記開始点座標であり、時系列に基づいて最後に検出される前記移動軌跡の座標が前記タッチスクリーン上でのステップおよび再生ハイブリッド調節操作の前記最新の時刻において検出された座標である。
【００１２】
第二の側面の第一の可能な実装様式を参照するに、第二の側面の第三の可能な実装様式では、前記取得サブユニットは、具体的には：
ステップおよび再生ハイブリッド調節操作に従ってステップおよび再生ハイブリッド調節操作の移動軌跡を取得するよう構成された第二移動軌跡取得モジュールと；
ステップおよび再生ハイブリッド調節操作に従ってステップおよび再生ハイブリッド調節操作の方向を取得するよう構成された方向取得モジュールと；
ステップおよび再生ハイブリッド調節操作の、前記方向取得モジュールによって取得される方向が第一の方向から第二の方向に転向するとき、ステップおよび再生ハイブリッド調節操作の前記移動軌跡に従って最新の時刻において検出された座標および転向点座標を取得するよう構成された第二座標取得モジュールと；
第二座標取得モジュールによって取得された前記最新の時刻において検出された座標と転向点座標の間の距離に従って前記移動距離を取得するよう構成された第二移動距離取得モジュールとを含み；
前記端末は、前記移動軌跡を取得するよう、事前設定された時間間隔でタッチスクリーンを検出し、時系列に基づいて最後に検出される前記移動軌跡の座標が前記タッチスクリーン上でのステップおよび再生ハイブリッド調節操作の前記最新の時刻において検出された座標であり、前記転向点座標は、ステップおよび再生ハイブリッド調節操作の方向が第一の方向から第二の方向に転向した後前記端末によって検出される最初の座標であり；
前記第一の方向および前記第二の方向は事前設定された角度だけ異なっている。
【００１３】
第三の側面によれば、メディア・プレーヤーおよびタッチスクリーンを有する端末に適用される再生調節装置であって：
ユーザーによって入力されるステップおよび再生ハイブリッド調節操作を受領するよう構成された受領器と；
前記受領器によって受領されたステップおよび再生ハイブリッド調節操作に従ってステップ・スピードおよび再生進行を調節するよう構成された処理器とを含んでおり、
ステップおよび再生ハイブリッド調節操作は、ステップ・スピードについての調整操作および再生進行についての調節操作を含み；
ステップ・スピードは、ユーザーがメディア・プレーヤー上で早送り／早戻し操作を実行するときに単位時間内に再生されるメディア・ファイルのフレームの量であり、
再生進行は、そこまでメディア・ファイルが再生されている位置である、
装置が提供される。
【００１４】
第三の側面を参照するに、第三の側面の第一の可能な実装様式では、前記処理器がステップおよび再生ハイブリッド調節操作に従ってステップ・スピードおよび再生進行を調節することは、具体的には：
ステップおよび再生ハイブリッド調節操作に従ってタッチスクリーン上でのステップおよび再生ハイブリッド調節操作の方向およびステップおよび再生ハイブリッド調節操作の移動距離を取得する段階と；
前記移動距離に従ってステップ・スピードに対する増大させるまたは減少させる調整を実行する段階と；
調整されたステップ・スピードおよび前記方向に従って再生進行を調節する段階とを含み；
前記端末は、移動距離の長さ値とステップ・スピードとの間の対応を記憶している。
【００１５】
第三の側面の第一の可能な実装様式を参照するに、第三の側面の第二の可能な実装様式では、前記処理器によってステップおよび再生ハイブリッド調節操作に従ってタッチスクリーン上でのステップおよび再生ハイブリッド調節操作の移動距離を取得することは、具体的には：
ステップおよび再生ハイブリッド調節操作に従ってステップおよび再生ハイブリッド調節操作の移動軌跡を取得する段階と；
前記移動軌跡に従ってステップおよび再生ハイブリッド調節操作の最新の時刻において検出された座標および開始点座標を取得する段階と；
前記最新の時刻において検出された座標と開始点座標の間の距離に従って前記移動距離を取得する段階とを含み；
前記端末は、前記移動軌跡を取得するよう、事前設定された時間間隔でタッチスクリーンを検出し、時系列に基づいて最初に検出される前記移動軌跡の座標が前記タッチスクリーン上でのステップおよび再生ハイブリッド調節操作の前記開始点座標前記開始点座標であり、時系列に基づいて最後に検出される前記移動軌跡の座標が前記タッチスクリーン上でのステップおよび再生ハイブリッド調節操作の前記最新の時刻において検出された座標である。
【００１６】
第三の側面の第一の可能な実装様式を参照するに、第三の側面の第三の可能な実装様式では、前記処理器によってステップおよび再生ハイブリッド調節操作に従ってタッチスクリーン上でのステップおよび再生ハイブリッド調節操作の移動距離を取得することは、具体的には：
ステップおよび再生ハイブリッド調節操作に従ってステップおよび再生ハイブリッド調節操作の移動軌跡を取得する段階と；
ステップおよび再生ハイブリッド調節操作に従ってステップおよび再生ハイブリッド調節操作の方向を取得する段階と；
ステップおよび再生ハイブリッド調節操作の方向が第一の方向から第二の方向に転向するとき、ステップおよび再生ハイブリッド調節操作の前記移動軌跡に従って最新の時刻において検出された座標および転向点座標を取得する段階と；
前記最新の時刻において検出された座標と転向点座標の間の距離に従って前記移動距離を取得する段階とを含み；
前記端末は、前記移動軌跡を取得するよう、事前設定された時間間隔でタッチスクリーンを検出し、時系列に基づいて最後に検出される前記移動軌跡の座標が前記タッチスクリーン上でのステップおよび再生ハイブリッド調節操作の前記最新の時刻において検出された座標であり、前記転向点座標は、ステップおよび再生ハイブリッド調節操作の方向が第一の方向から第二の方向に転向した後前記端末によって検出される最初の座標であり；
前記第一の方向および前記第二の方向は事前設定された角度だけ異なっている。
【発明の効果】
【００１７】
本発明の実施形態において提供される再生調節方法および装置によれば、端末はユーザーのステップおよび再生ハイブリッド調節操作を受領し、ステップおよび再生ハイブリッド調節操作は、ステップ・スピードについての調整命令を含み、かつ再生進行についての調節命令をも含み、端末は、ステップおよび再生ハイブリッド調節操作に従ってステップ・スピードおよび再生進行を調節する。ステップ・スピードの調節および再生進行の調節は統合され、再生進行の調節はより正確であり、操作ミスが低減できる。
【図面の簡単な説明】
【００１８】
本発明の実施形態の技術的解決策をより明瞭に記述するために、下記は実施形態を記述するために必要とされる付属の図面を簡単に紹介する。明らかに、以下の記述における付属の図面は本発明のいくつかの実施形態を示しており、これらの付属の図面から当業者は創造的な努力なしにさらに他の図面を導出しうる。
【図１】本発明のある実施形態に基づく再生調節方法のフローチャートである。
【図２】本発明のある実施形態に基づく再生調節方法のもう一つのフローチャートである。
【図３Ａ】本発明のある実施形態に基づくステップおよび再生ハイブリッド調節操作の概略図である。
【図３Ｂ】本発明のある実施形態に基づくステップおよび再生ハイブリッド調節操作のもう一つの概略図である。
【図４】本発明のある実施形態に基づく第一の方向および第二の方向の概略図である。
【図５】本発明のある実施形態に基づくもう一つの再生調節方法のフローチャートである。
【図６Ａ】本発明のある実施形態に基づくステップおよび再生ハイブリッド調節操作の概略図である。
【図６Ｂ】本発明のある実施形態に基づくもう一つのステップおよび再生ハイブリッド調節操作の概略図である。
【図６Ｃ】本発明のある実施形態に基づくもう一つのステップおよび再生ハイブリッド調節操作の概略図である。
【図６Ｄ】本発明のある実施形態に基づくもう一つのステップおよび再生ハイブリッド調節操作の概略図である。
【図７】本発明のある実施形態に基づく再生調節装置の概略構造図である。
【図８】本発明のある実施形態に基づく調節ユニット７２の概略構造図である。
【図９】本発明のある実施形態に基づく取得サブユニット７２１の概略構造図である。
【図１０】本発明のある実施形態に基づく取得サブユニット７２１のもう一つの概略構造図である。
【図１１】本発明のある実施形態に基づくもう一つの再生調節装置の概略構造図である。
【発明を実施するための形態】
【００１９】
下記は、本発明の実施形態における付属の図面を参照しつつ本発明の実施形態における技術的解決策を明確かつ完全に記述する。明らかに、記載される実施形態は本発明の実施形態の全部ではなく単に一部である。創造的な努力なしに本発明の該実施形態に基づいて当業者によって得られる他のすべての実施形態は本発明の保護範囲内にはいる。
【００２０】
本発明のある実施形態において提供される方法は、マルチメディア・プレーヤーおよびタッチスクリーンを有する端末に適用される。端末はスマートフォン、タブレット・コンピュータ、高精細度プレーヤーなどであってもよい。
【００２１】
図１に示されるように、本発明のある実施形態は、下記を含む再生調節方法を提供する：
【００２２】
１０１：ユーザーによって入力されたステップおよび再生ハイブリッド調節操作を受領する。
【００２３】
１０２：ステップおよび再生ハイブリッド調節操作に従ってステップ・スピードおよび再生進行を調節する。
【００２４】
ユーザーのステップおよび再生ハイブリッド調節操作は、ステップ・スピードについての調整命令を含み、かつ再生進行についての具体的な調節命令をも含む。端末は、ステップおよび再生ハイブリッド調節操作に従ってステップ・スピードを変更し、変更されたステップ・スピードに基づいて再生進行を調整する。ステップ・スピードの調節および再生進行の調節が一つの操作に統合される。
【００２５】
ステップ・スピードとは、ユーザーが端末のメディア・プレーヤー上で早送り／早戻し操作を実行するときに単位時間内に再生されるメディア・ファイルのフレームの量を指す。たとえば、メディア・ファイルの通常再生の間、毎秒のフレームの量は24フレームであり、再生を完了するために60秒の継続時間が必要とされる。早送り状態では、再生を完了するために30秒が必要とされ、この場合、ステップ・スピードは2×24である。ステップ・スピードが3×24に増大させられると、早送り再生を完了するために20秒が必要とされる。ステップ・スピードが1.5×24に増大させられると、早送り再生を完了するために40秒が必要とされる。再生進行とは、そこまでメディア・ファイルが再生されている位置である、ステップ・スピードが低いほど、再生進行の調整は細かいことが理解されうる。
【００２６】
上記の解決策により、端末はユーザーのステップおよび再生ハイブリッド調節操作を受領し、ステップおよび再生ハイブリッド調節操作に従ってステップ・スピードおよび再生進行を調節する。このようにして、ステップ・スピードの調節および再生進行の調節が統合され、再生進行の調節はより正確であり、操作ミスの発生が低減される。
【００２７】
本発明のある実施形態において提供される条件付き再生方法について下記でより詳細に述べる。
【００２８】
図２に示されるように、下記を含む条件付き再生方法が提供される：
【００２９】
２０１：ユーザーによって入力されるステップおよび再生ハイブリッド調節操作を受領する。
【００３０】
段階２０１が実行される前に、ステップおよび再生ハイブリッド調節操作を検出する機構が端末においてトリガーされる必要がある。特に、トリガーするためのスライド命令を生成するためにスライド操作がタッチスクリーン上で実行されてもよいし、一つの事前設定されたハードウェア・キーまたはいくつかの事前設定されたハードウェア・キーの組み合わせがトリガーするために使われてよいし、再生モードにおける再生ページに調節ボタンがさらに追加されてもよく、該ボタンがトリガーするためにタッチされてもよい、などであり、これらは本願において限定されない。
【００３１】
２０２：ステップおよび再生ハイブリッド調節操作に従ってタッチスクリーン上でのステップおよび再生ハイブリッド調節操作の方向およびステップおよび再生ハイブリッド調節操作の移動距離を取得する。
【００３２】
２０３：移動距離に従ってステップ・スピードに対する増大させるまたは減少させる調整を実行する。
【００３３】
２０４：調整されたステップ・スピードおよびステップおよび再生ハイブリッド調節操作の前記方向に従って再生進行を調節する。
【００３４】
移動距離を取得するある具体的な方法は次のとおりであってもよい：
【００３５】
Ｓ１：ステップおよび再生ハイブリッド調節操作の移動軌跡の座標を検出する。
【００３６】
Ｓ１における座標は：移動軌跡の開始点の開始点座標およびステップおよび再生ハイブリッド調節操作が終わる前に取得される前記移動軌跡の他の座標を含む。端末は、所定の時間間隔に基づいて、座標を検出するアクションをトリガーしてもよく、該時間間隔の具体的な設定は技師によって設定されてもよい。
【００３７】
Ｓ２：ステップおよび再生ハイブリッド調節操作の最新の時刻において検出された座標と開始点座標に従って、ステップおよび再生ハイブリッド調節操作の方向および前記移動距離を取得する。
【００３８】
上記のＳ１およびＳ２の記述によれば、ステップおよび再生ハイブリッド調節操作を受領したのち、端末は一連の座標点を取得してもよい。ここで、最初に検出される座標は前記開始点座標であり、(X1,Y1)に設定され、最新の時刻において検出された座標は(Xn,Yn)に設定される。ステップおよび再生ハイブリッド調節操作の移動方向およびタッチスクリーン上での前記移動距離は、該二つの座標の値に従って決定されてもよい。
【００３９】
たとえば、ステップおよび再生ハイブリッド調節操作の方向が方向Ａである場合、前記移動距離に従って、ステップ・スピードに対して、増大させるまたは減少させる調整が実行され、再生進行は調整されたステップ・スピードに基づいて前方に調整される。
【００４０】
本発明のこの実施形態において再生進行が前方に調整されるとは、再生されているメディア・ファイルに対して早送り調節が実行されることを指す。
【００４１】
ステップおよび再生ハイブリッド調節操作の方向が方向Ｂである場合、前記移動距離に従って、ステップ・スピードに対して、増大させるまたは減少させる調整が実行され、再生進行は調整されたステップ・スピードに基づいて後方に調整される。
【００４２】
本発明のこの実施形態において再生進行が後方に調整されるとは、再生されているメディア・ファイルに対して早戻し調節が実行されることを指す。
【００４３】
移動距離の長さ値とステップ・スピードとの間の対応が端末に記憶されている。
【００４４】
タッチ操作の開始点から終点までの距離の長さとステップ・スピードとの間の具体的な関係が下記の表１に示されていることが設定される。
【表１】
2016539441.tif 000003
【００４５】
表１における対応は例として使われており、タッチ操作の開始点から終点までの距離の長さとステップ・スピードとの間の具体的な関係は表１に示される内容に限定されない。
【００４６】
端末は、上述した方向Ａと方向Ｂの間で正しく区別できることを注意しておくべきである。したがって、方向Ａと方向Ｂの間のはさまれる角が第一の事前設定された角度範囲内であることがあらかじめ定義されていてもよい。たとえば、第一の事前設定された角度範囲は（160度ないし180度）である。さらに、方向Ａは、ユーザーの使用習癖に好適な仕方に基づいて設定されてもよい。たとえば、端末について、メディア・ファイルの再生進行バーは通例ディスプレイ・インターフェースにおいて表示されうる。再生開始後、進行バーは図３Ａに示されるように左から右に動く。したがって、再生バーに沿った左から右への方向が方向Ａであると設定されてもよく、方向Ａからのはさまれる角が160度から180度までの第一の事前設定された角度範囲内である方向が方向Ｂであることが設定されてもよい。実際の場合には、方向Ａについて角度範囲が設定されてもよい。たとえば、進行バーに沿った左から右への方向から±15度以内の方向が方向Ａとして認識され、それによりユーザーの操作の精密さに対する要件が軽減でき、それによりユーザー経験が改善される。
【００４７】
方向Ａおよび方向Ｂの上記の記述は単に例であり、実際の応用では、早送りおよび早戻しを正しく認識するよう、方向Ａおよび方向Ｂは他の仕方でさらに区別されてもよく、詳細は本稿では改めて記述されない。
【００４８】
この実施形態において、ユーザーによって入力されるステップおよび再生ハイブリッド調節操作は、タッチスクリーンに接触している操作および浮動操作を含む。これらの入力操作は、移動距離データおよび移動方向データを生成するために使われる。さらに、ステップおよび再生ハイブリッド調節操作は、ユーザーのジェスチャー感知操作またはスタイラスを使って実装される操作であってもよく、本願では限定されない。
【００４９】
段階２０３および２０４について下記で概略図を参照して詳細に述べる。
【００５０】
図３Ａでは、ジェスチャー操作３０００が示されている。ジェスチャー操作３０００では、点３００２が開始タッチ点であり、点３００４が終了タッチ点である。ジェスチャー操作は水平方向右への方向Ａをもつ。端末がステップおよび再生ハイブリッド調節操作をトリガーしている場合、ジェスチャー操作３０００は端末によってステップおよび再生ハイブリッド調節操作として認識される。点３００２および点３００４の座標に応じて、移動距離が計算され、移動距離の長さ値とステップ・スピードとの間の端末に記憶されている対応に従って、ステップ・スピードが調整され、次いで端末は調整されたステップ・スピードに基づいて再生進行を前方に調整する、すなわち早送りを実行する。
【００５１】
図３Ｂでは、開始点が３００８であり終了点が３０１０であるジェスチャー操作３００６が示されている。ジェスチャー操作は水平方向左への方向Ｂをもつ。点３００８と点３０１０の間の距離がタッチスクリーン上でのステップおよび再生ハイブリッド調節操作の移動距離である。端末は、計算を通じて得られる移動距離に応じてステップ・スピードを調整し、次いで端末は調整されたステップ・スピードに基づいて再生進行を後方に調整する、すなわち早戻しを実行する。
【００５２】
図３Ｂはさらに、ジェスチャー操作３０１２を示している。ジェスチャー操作３０１２の移動距離はジェスチャー操作３００６の移動距離より大きく、よってステップ・スピードもより大きい。
【００５３】
ユーザーがタッチスクリーンと接触したジェスチャー操作を実行する場合、タッチスクリーンがユーザーの入力を感知し損なうときに、現在の操作が終了する。浮動操作が使われる場合、センサーが浮動操作を感知し損なうときに、現在の操作が終了する。ステップおよび再生ハイブリッド調節操作が終了した後、調整されたステップ・スピードが端末に保存されてもよい。
【００５４】
タッチスクリーンまたはセンサーがいまだユーザーの入力を感知できる場合には、ステップおよび再生ハイブリッド調節操作はいまだ終了されないことを注意しておくべきである。端末は開始タッチ点と現在のタッチ点との間の移動距離に従ってステップ・スピードを調整し続ける。そのようにして、ステップ・スピードは最も好適な状態に調整されうる。
【００５５】
ユーザーの入力の人的誤差を考慮して、ジェスチャー操作３０００の方向Ａとジェスチャー操作３００６の方向Ｂは実際の使用では必ずしも厳密に定義された反対方向ではなく、本稿で詳細に記述される。
【００５６】
再生進行バーに沿った水平方向がX軸であり、ステップおよび再生ハイブリッド調節操作をトリガーするトリガー点が零点であり、零点の右側がX軸の正方向であり、零点の左側がX軸の負方向であると設定される。X軸の正方向において、±45°以内の方向は方向Ａと考えられる。X軸の負方向において、±45°以内の方向は方向Ｂと考えられる。
【００５７】
方向Ａおよび方向Ｂの具体的な概略図が図４に示されている。矢印によって示される方向がX軸の正方向であり、mがトリガー点（零点）であり、∠１は90°であり、∠１の二等分線はX軸の正の半軸であり、∠２は90°であり、∠２の二等分線はX軸の負の半軸である。ステップおよび再生ハイブリッド調節操作の方向の角度が∠１内であれば、ステップおよび再生ハイブリッド調節操作の方向は方向Ａであると考えられる。ステップおよび再生ハイブリッド調節操作の方向の角度が∠２内であれば、ステップおよび再生ハイブリッド調節操作の方向は方向Ｂであると考えられる。角∠１および∠２の大きさはさらに、180°以内の他の値であってもよい。
【００５８】
本発明の上記の実施形態では、ユーザーによって入力されるステップおよび再生ハイブリッド調節操作は、ジェスチャー操作またはスタイラス操作であってもよい。さらに、ユーザーの操作は、タッチスクリーンと接触した操作または浮動操作でありうる。浮動操作の場合、浮動操作を感知するために端末上にセンサーが配置される。
【００５９】
タッチスクリーンと接触した操作の場合、ユーザーの指またはスタイラスがタッチスクリーンを離れるとき、ステップおよび再生ハイブリッド調節操作が終了する。浮動操作の場合、端末のセンサーが浮動操作を感知し損なう、あるいはセンサーによって感知される浮動操作の位置と端末との間の距離が指定された距離を超えるときに、ステップおよび再生ハイブリッド調節操作は終了する。
【００６０】
本発明のこの実施形態において提供される再生調節方法では、ステップおよび再生ハイブリッド調節操作の方向およびステップおよび再生ハイブリッド調節操作の移動距離が検出され、移動距離に従ってステップ・スピードが調整され、調整されたステップ・スピードに基づいて再生進行が調節される。ステップ・スピードの調節および再生進行の調節が統合され、再生進行の調節はより正確であり、操作ミスの発生が低減される。
【００６１】
さらに、本発明のある実施形態はさらに、再生調節方法を提供し、図５に示されるように、本方法は下記を含む：
【００６２】
５０１：ユーザーによって入力されるステップおよび再生ハイブリッド調節操作を受領する。
【００６３】
５０２：ステップおよび再生ハイブリッド調節操作の方向を取得する。
【００６４】
段階５０２の後、端末は、取得された方向に従って、かつ既存のステップ・スピードに基づいて早送りまたは早戻しを実行する。
【００６５】
５０３：ステップおよび再生ハイブリッド調節操作に従ってステップおよび再生ハイブリッド調節操作の移動軌跡を取得する。
【００６６】
５０４：ステップおよび再生ハイブリッド調節操作の方向が第一の方向から第二の方向に転向する場合、ステップおよび再生ハイブリッド調節操作の前記移動軌跡に従って最新の時刻において検出された座標および転向点座標を取得する。
【００６７】
５０５：前記最新の時刻において検出された座標と転向点座標の間の距離に従って前記移動距離を取得する。
【００６８】
５０６：移動距離に従って、ステップ・スピードに対して、増大させるまたは減少させる調整を実行する。
【００６９】
５０７：調整されたステップ・スピードおよびステップおよび再生ハイブリッド調節操作の方向に従って再生進行を調節する。
【００７０】
端末は、移動軌跡を取得するよう、事前設定された時間間隔でタッチスクリーンを検出する。時系列に基づいて最後に検出される前記移動軌跡の座標が前記タッチスクリーン上でのステップおよび再生ハイブリッド調節操作の前記最新の時刻において検出された座標である。前記転向点座標は、ステップおよび再生ハイブリッド調節操作の方向が第一の方向から第二の方向に転向した後前記端末によって検出される最初の座標である。
【００７１】
さらに、第一の方向および第二の方向は事前設定された角度だけ異なっている。たとえば、事前設定された角度は75度から115度までの範囲に設定され、第一の方向から反時計回りに75度ないし115度以内の方向が第二の方向であり、90度が好ましい。図６Ａに示されるように、点６００２から点６００４への方向が第一の方向であり、点６００４から点６００６への方向が第二の方向である。あるいは、第一の方向から反時計回りに75度ないし115度以内の方向が第二の方向であり、90度が好ましい。図６Ｂに示されるように、点６００２から点６００４への方向が第一の方向であり、点６００４から点６００８への方向が第二の方向である。
【００７２】
段階５０２から段階５０７の記述によれば、端末がステップおよび再生ハイブリッド調節操作を受領した後、ステップおよび再生ハイブリッド調節操作の方向が第一の方向であれば、端末は、端末に記憶されている既存のステップ・スピードに基づいて前方または後方に再生進行を調節する。さらに、端末がステップおよび再生ハイブリッド調節操作の方向が第一の方向から第二の方向に転向することを検出する場合、最新の時刻において検出された座標および転向点座標がステップおよび再生ハイブリッド調節操作の移動軌跡に従って取得される。移動距離は、最新の時刻において検出された座標と転向点座標との間の距離に従って取得され、移動距離に従ってステップ・スピードに対して、増大させるまたは減少させる調整を実行する。再生進行は、調整されたステップ・スピードおよびステップおよび再生ハイブリッド調節操作の方向に従って調節される。
【００７３】
上記のプロセスは、図６Ａないし図６Ｄを参照して下記で記述される。図６Ａないし図６Ｄでは、ステップおよび再生ハイブリッド調節操作は具体的にはジェスチャー操作である。
【００７４】
図６Ａに示されるように、ジェスチャー操作６０００は進行バーに沿って左から右の水平方向に存在する。開始タッチ点は６００２であり、ジェスチャー操作６０００が点６００２から点６００４に動く方向が前記第一の方向である。ジェスチャー操作６０００の第一の方向を検出した後、端末は、既存のステップ・スピードに従って再生進行を前方に調節する。同時に、端末はジェスチャー操作６０００の動きを検出し続ける。
【００７５】
第二の方向は二つの場合において記述される。一方の場合には、点６００４から点６００６への方向が第二の方向である。ジェスチャー操作６０００が点６００４から点６００６に垂直方向に動くことが検出されるとき、最新の時刻において検出された座標と転向点座標が取得される。転向点は点６００４であり、最新の時刻において検出された座標は点６００６であり、転向点６００４の座標と６００６の座標の間の距離に従って、既存のステップ・スピードに対して増大させる調整が実行される。
【００７６】
他方の場合には、図６Ｂに示されるように、点６００４から点６００８への方向が第二の方向である。ジェスチャー操作６０００が点６００４から点６００８に動くことが検出されるとき、最新の時刻において検出された座標と転向点座標が取得される。転向点は点６００４であり、最新の時刻において検出された座標は点６００８であり、転向点６００４の座標と６００６の座標の間の距離に従って、既存のステップ・スピードに対して減少させる調整が実行される。
【００７７】
さらに、既存のステップ・スピードに対して増大させるまたは減少させる調整が実行された後、端末は、ユーザーのジェスチャー操作が第二の方向において転回するかどうかを検出し続ける。図６Ｃに示されるように、点６００６は転回点であり、ジェスチャー操作は点６０１０に垂直下方に動く。第二の方向において転回が起こるとき、端末は、点６０１０の座標と転向点６００４の座標との間の距離に従ってステップ・スピードを減少させる。点６００２から点６００４まで、次いで点６００６および点６０１０までのプロセスにおいて、ジェスチャー操作全体は連続的であることを指摘しておくべきである。具体的には、ユーザーが指またはスタイラスを用いて入力する場合、指またはスタイラスはタッチスクリーンを離れない。入力のために浮動操作が実行される場合には、浮動操作は感知レンジを離れない。ひとたび指またはスタイラスがタッチスクリーンを離れるまたは浮動操作が感知レンジを離れると、現在のステップおよび再生ハイブリッド調節操作は終了する。
【００７８】
他方の場合が図６Ｄに示されている。点６００２から点６００４への方向が前記第一の方向であり、点６００４から点６００８への方向が前記第二の方向であり、点６００８は転回点であり、ジェスチャー操作は点６０１２に垂直上方に動く。この場合、端末は、点６０１２の座標と転向点６００４の座標との間の距離に従ってステップ・スピードを増大させる。点６００２から点６００４まで、次いで点６００８および点６０１２までのプロセスにおいて、ジェスチャー操作全体は連続的であることを指摘しておくべきである。具体的には、ユーザーが指またはスタイラスを用いて入力する場合、指またはスタイラスはタッチスクリーンを離れない。入力のために浮動操作が実行される場合には、浮動操作は感知レンジを離れない。ひとたび指またはスタイラスがタッチスクリーンを離れるまたは浮動操作が感知レンジを離れると、現在のステップおよび再生ハイブリッド調節操作は終了する。
【００７９】
上記の図６Ｃおよび図６Ｄのプロセスにより、ユーザーによって入力されるステップおよび再生ハイブリッド調節操作は、垂直方向に複数回調整されうるので、より精密なステップ・スピードを得ることができる。
【００８０】
上記の図６Ａないし図６Ｄでは、第一の方向は再生進行バーに沿って水平方向右向きの方向であり、端末は再生進行を前方に調整する（すなわち、早送り）。他方の場合では、第一の方向が再生進行バーに沿って水平方向左向きの方向であるとき、端末は再生進行を後方に調整する（すなわち、早戻し）。この場合、ステップ・スピードの調整については図６Ａないし図６Ｄにおける記述が参照され、詳細は改めて述べない。
【００８１】
さらに、本発明のある実施形態は、再生調節装置をさらに提供する。本装置は、メディア・プレーヤーおよびタッチスクリーンを有する端末に適用される。図７に示されるように、本装置は：
ユーザーによって入力されるステップおよび再生ハイブリッド調節操作を受領するよう構成された受領ユニット７１であって、
前記ステップおよび再生ハイブリッド調節操作は、ステップ・スピードについての調整命令および再生進行についての調節命令を含む、受領ユニットと；
前記受領ユニット７１によって受領されたステップおよび再生ハイブリッド調節操作に従ってステップ・スピードおよび再生進行を調節するよう構成された調節ユニット７２とを含む。
【００８２】
さらに、図８に示されるように、調節ユニット７２は、具体的には：
ステップおよび再生ハイブリッド調節操作に従ってタッチスクリーン上でのステップおよび再生ハイブリッド調節操作の方向およびステップおよび再生ハイブリッド調節操作の移動距離を取得するよう構成された取得サブユニット７２１と；
取得サブユニット７２１によって取得された移動距離に従ってステップ・スピードに対する増大させるまたは減少させる調整を実行するよう構成された調整サブユニット７２２と；
調整されたステップ・スピードおよび前記方向に従って再生進行を調節するよう構成された調節サブユニット７２３とを含む。
【００８３】
端末は、移動距離の長さ値とステップ・スピードとの間の対応を記憶している。
【００８４】
さらに、図９に示されるように、前記取得サブユニット７２１は：
ステップおよび再生ハイブリッド調節操作に従ってステップおよび再生ハイブリッド調節操作の移動軌跡を取得するよう構成された第一移動軌跡取得モジュール７２１１と；
前記移動軌跡に従ってステップおよび再生ハイブリッド調節操作の最新の時刻において検出された座標および開始点座標を取得するよう構成された第一座標取得モジュール７２１２と；
第一座標取得モジュール７２１２によって取得された、前記最新の時刻において検出された座標と開始点座標の間の距離に従って前記移動距離を取得するよう構成された第一移動距離取得モジュール７２１３とを含む。
【００８５】
端末は、前記移動軌跡を取得するよう、事前設定された時間間隔でタッチスクリーンを検出し、時系列に基づいて最初に検出される前記移動軌跡の座標が前記タッチスクリーン上でのステップおよび再生ハイブリッド調節操作の前記開始点座標であり、時系列に基づいて最後に検出される前記移動軌跡の座標が前記タッチスクリーン上でのステップおよび再生ハイブリッド調節操作の前記最新の時刻において検出された座標である。
【００８６】
もう一つの実装様式では、図１０に示されるように、前記取得サブユニット７２１は、具体的には：
ステップおよび再生ハイブリッド調節操作に従ってステップおよび再生ハイブリッド調節操作の移動軌跡を取得するよう構成された第二移動軌跡取得モジュール７２１４と；
ステップおよび再生ハイブリッド調節操作に従ってステップおよび再生ハイブリッド調節操作の方向を取得するよう構成された方向取得モジュール７２１５と；
ステップおよび再生ハイブリッド調節操作の、前記方向取得モジュール７２１５によって取得される方向が第一の方向から第二の方向に転向するとき、ステップおよび再生ハイブリッド調節操作の前記移動軌跡に従って最新の時刻において検出された座標および転向点座標を取得するよう構成された第二座標取得モジュール７２１６と；
第二座標取得モジュール７２１６によって取得された前記最新の時刻において検出された座標と転向点座標の間の距離に従って前記移動距離を取得するよう構成された第二移動距離取得モジュール７２１７とを含む。
【００８７】
端末は、前記移動軌跡を取得するよう、事前設定された時間間隔でタッチスクリーンを検出し、時系列に基づいて最後に検出される前記移動軌跡の座標が前記タッチスクリーン上でのステップおよび再生ハイブリッド調節操作の前記最新の時刻において検出された座標であり、前記転向点座標は、ステップおよび再生ハイブリッド調節操作の方向が第一の方向から第二の方向に転向した後前記端末によって検出される最初の座標である。
【００８８】
第一の方向および第二の方向は事前設定された角度だけ異なっている。
【００８９】
本発明の該実施形態では、ユーザーによって入力されるステップおよび再生ハイブリッド調節操作は、ジェスチャー操作またはスタイラス操作であってもよい。さらに、ユーザー操作は、タッチスクリーンと接触した操作または浮動操作でありうる。浮動操作の場合、浮動操作を感知するために端末上にセンサーが配置される。
【００９０】
タッチスクリーンと接触した操作の場合、ユーザーの指またはスタイラスがタッチスクリーンを離れるとき、ステップおよび再生ハイブリッド調節操作が終了する。浮動操作の場合、端末のセンサーが浮動操作を感知し損なう、あるいはセンサーによって感知される浮動操作の位置と端末との間の距離が指定された距離を超えるときに、ステップおよび再生ハイブリッド調節操作は終了する。
【００９１】
さらに、図１１に示されるように、本発明のある実施形態は、メディア・プレーヤーおよびタッチスクリーンを有する端末に適用される再生調節装置をさらに提供し、該装置は受領器１１１および処理器１１２を含む。
【００９２】
受領器１１１は、ユーザーによって入力されるステップおよび再生ハイブリッド調節操作を受領するよう構成されている。ステップおよび再生ハイブリッド調節操作は、ステップ・スピードについての調整命令および再生進行についての調節命令を含む。
【００９３】
処理器１１２は、前記受領器によって受領されたステップおよび再生ハイブリッド調節操作に従ってステップ・スピードおよび再生進行を調節するよう構成されている。
【００９４】
前記処理器がステップおよび再生ハイブリッド調節操作に従ってステップ・スピードおよび再生進行を調節することは、具体的には：
ステップおよび再生ハイブリッド調節操作に従ってタッチスクリーン上でのステップおよび再生ハイブリッド調節操作の方向およびステップおよび再生ハイブリッド調節操作の移動距離を取得する段階と、前記移動距離に従ってステップ・スピードに対する、増大させるまたは減少させる調整を実行する段階と、調整されたステップ・スピードおよび前記方向に従って再生進行を調節する段階とを含み、端末は、移動距離の長さ値とステップ・スピードとの間の対応を記憶している。
【００９５】
さらに、前記処理器１１２がステップおよび再生ハイブリッド調節操作に従ってタッチスクリーン上でのステップおよび再生ハイブリッド調節操作の移動距離を取得することは、具体的には：
ステップおよび再生ハイブリッド調節操作に従ってステップおよび再生ハイブリッド調節操作の移動軌跡を取得する段階と、前記移動軌跡に従ってステップおよび再生ハイブリッド調節操作の最新の時刻において検出された座標および開始点座標を取得する段階と、前記最新の時刻において検出された座標と開始点座標の間の距離に従って前記移動距離を取得する段階とを含む。
【００９６】
端末は、前記移動軌跡を取得するよう、事前設定された時間間隔でタッチスクリーンを検出し、時系列に基づいて最初に検出される前記移動軌跡の座標が前記タッチスクリーン上でのステップおよび再生ハイブリッド調節操作の前記開始点座標であり、時系列に基づいて最後に検出される前記移動軌跡の座標が前記タッチスクリーン上でのステップおよび再生ハイブリッド調節操作の前記最新の時刻において検出された座標である。
【００９７】
本発明のもう一つの実装様式では、前記処理器１１２がステップおよび再生ハイブリッド調節操作に従ってタッチスクリーン上でのステップおよび再生ハイブリッド調節操作の移動距離を取得することは、具体的には：
ステップおよび再生ハイブリッド調節操作に従ってステップおよび再生ハイブリッド調節操作の移動軌跡を取得する段階と、ステップおよび再生ハイブリッド調節操作に従ってステップおよび再生ハイブリッド調節操作の方向を取得する段階と、ステップおよび再生ハイブリッド調節操作の方向が第一の方向から第二の方向に転向するとき、ステップおよび再生ハイブリッド調節操作の前記移動軌跡に従って最新の時刻において検出された座標および転向点座標を取得する段階と、前記最新の時刻において検出された座標と転向点座標の間の距離に従って前記移動距離を取得する段階とを含む。
【００９８】
端末は、前記移動軌跡を取得するよう、事前設定された時間間隔でタッチスクリーンを検出し、時系列に基づいて最後に検出される前記移動軌跡の座標が前記タッチスクリーン上でのステップおよび再生ハイブリッド調節操作の前記最新の時刻において検出された座標であり、前記転向点座標は、ステップおよび再生ハイブリッド調節操作の方向が第一の方向から第二の方向に転向した後前記端末によって検出される最初の座標である。
【００９９】
第一の方向および第二の方向は事前設定された角度だけ異なっている。
【０１００】
本発明のこの実施形態において提供される再生調節装置によれば、端末はユーザーのステップおよび再生ハイブリッド調節操作を受領し、ステップおよび再生ハイブリッド調節操作に従ってステップ・スピードおよび再生進行を調節する。ステップ・スピードの調節および再生進行の調節が統合され、再生進行の調節はより正確であり、操作ミスの発生が低減される。
【０１０１】
上記の記述は単に本発明の個別的な実装様式であり、本発明の保護範囲を限定することは意図されていない。本発明において開示される技術的範囲内において当業者によって容易に理解されるいかなる変形や置換も、本発明の保護範囲内にはいる。したがって、本発明の保護範囲は請求項の保護範囲に従う。
【図１】
2016539441.tif 000004
【図２】
2016539441.tif 000005
【図３Ａ】
2016539441.tif 000006
【図３Ｂ】
2016539441.tif 000007
【図４】
2016539441.tif 000008
【図５】
2016539441.tif 000009
【図６Ａ】
2016539441.tif 000010
【図６Ｂ】
2016539441.tif 000011
【図６Ｃ】
2016539441.tif 000012
【図６Ｄ】
2016539441.tif 000013
【図７】
2016539441.tif 000014
【図８】
2016539441.tif 000015
【図９】
2016539441.tif 000016
【図１０】
2016539441.tif 000017
【図１１】
2016539441.tif 000018
【手続補正書】
【提出日】平成28年3月31日(2016.3.31)
【手続補正１】
【補正対象書類名】特許請求の範囲
【補正対象項目名】全文
【補正方法】変更
【補正の内容】
【特許請求の範囲】
【請求項１】
メディア・プレーヤーおよびタッチスクリーンを有する端末に適用される再生調節方法であって：
ユーザーによって入力されるステップおよび再生ハイブリッド調節操作を受領する段階と；
前記ステップおよび再生ハイブリッド調節操作に従ってステップ・スピードおよび再生進行を調節する段階とを含み；
前記ステップおよび再生ハイブリッド調節操作は、前記ステップ・スピードについての調整操作および前記再生進行についての調節操作の両方を含み；
前記ステップ・スピードは、前記ユーザーが前記メディア・プレーヤー上で早送り／早戻し操作を実行するときに単位時間内に再生されるメディア・ファイルのフレームの量であり、
前記再生進行は、そこまで前記メディア・ファイルが再生されている位置である、
方法。
【請求項２】
前記ステップおよび再生ハイブリッド調節操作に従って前記ステップ・スピードおよび前記再生進行を調節する前記段階は、具体的には：
前記ステップおよび再生ハイブリッド調節操作に従って前記タッチスクリーン上での前記ステップおよび再生ハイブリッド調節操作の方向および前記ステップおよび再生ハイブリッド調節操作の移動距離を取得する段階と；
前記移動距離に従って前記ステップ・スピードに対する増大させるまたは減少させる調整を実行する段階と；
調整されたステップ・スピードおよび前記方向に従って前記再生進行を調節する段階とを含み；
前記端末は、移動距離の長さ値とステップ・スピードとの間の対応を記憶している、
請求項１記載の方法。
【請求項３】
前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記移動軌跡に従って前記ステップおよび再生ハイブリッド調節操作の最新の時刻において検出された座標および開始点座標を取得する段階と；
前記最新の時刻において検出された前記座標と前記開始点座標の間の距離に従って前記移動距離を取得する段階とを含み；
前記端末は、前記移動軌跡を取得するよう、事前設定された時間間隔で前記タッチスクリーンを検出し、時系列に基づいて最初に検出される前記移動軌跡の座標が前記タッチスクリーン上での前記ステップおよび再生ハイブリッド調節操作の前記開始点座標であり、時系列に基づいて最後に検出される前記移動軌跡の座標が前記タッチスクリーン上での前記ステップおよび再生ハイブリッド調節操作の前記最新の時刻において検出された前記座標である、
請求項２記載の方法。
【請求項４】
前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記ステップおよび再生ハイブリッド調節操作に従って前記ステップおよび再生ハイブリッド調節操作の前記方向を取得する段階と；
前記ステップおよび再生ハイブリッド調節操作の前記方向が第一の方向から第二の方向に転向する場合、前記ステップおよび再生ハイブリッド調節操作の前記移動軌跡に従って最新の時刻において検出された座標および転向点座標を取得する段階と；
前記最新の時刻において検出された前記座標と前記転向点座標の間の距離に従って前記移動距離を取得する段階とを含み；
前記端末は、前記移動軌跡を取得するよう、事前設定された時間間隔で前記タッチスクリーンを検出し、時系列に基づいて最後に検出される前記移動軌跡の座標が前記タッチスクリーン上での前記ステップおよび再生ハイブリッド調節操作の前記最新の時刻において検出された前記座標であり、前記転向点座標は、前記ステップおよび再生ハイブリッド調節操作の前記方向が前記第一の方向から前記第二の方向に転向した後前記端末によって検出される最初の座標であり；
前記第一の方向および前記第二の方向は事前設定された角度だけ異なっている、
請求項２記載の方法。
【請求項５】
メディア・プレーヤーおよびタッチスクリーンを有する端末に適用される再生調節装置であって：
ユーザーによって入力されるステップおよび再生ハイブリッド調節操作を受領するよう構成された受領ユニットと；
前記受領ユニットによって受領された前記ステップおよび再生ハイブリッド調節操作に従ってステップ・スピードおよび再生進行を調節するよう構成された調節ユニットとを含んでおり、
前記ステップおよび再生ハイブリッド調節操作は、前記ステップ・スピードについての調整操作および前記再生進行についての調節操作を含み；
前記ステップ・スピードは、前記ユーザーが前記メディア・プレーヤー上で早送り／早戻し操作を実行するときに単位時間内に再生されるメディア・ファイルのフレームの量であり、
前記再生進行は、そこまで前記メディア・ファイルが再生されている位置である、
装置。
【請求項６】
前記調節ユニットは、具体的には：
前記ステップおよび再生ハイブリッド調節操作に従って前記タッチスクリーン上での前記ステップおよび再生ハイブリッド調節操作の方向および前記ステップおよび再生ハイブリッド調節操作の移動距離を取得するよう構成された取得サブユニットと；
前記取得サブユニットによって取得された前記移動距離に従って前記ステップ・スピードに対する増大させるまたは減少させる調整を実行するよう構成された調整サブユニットと；
調整されたステップ・スピードおよび前記方向に従って前記再生進行を調節するよう構成された調節サブユニットとを含み；
前記端末は、移動距離の長さ値とステップ・スピードとの間の対応を記憶している、
請求項５記載の装置。
【請求項７】
前記取得サブユニットは、具体的には：
前記ステップおよび再生ハイブリッド調節操作に従って前記ステップおよび再生ハイブリッド調節操作の移動軌跡を取得するよう構成された第一移動軌跡取得モジュールと；
前記移動軌跡に従って前記ステップおよび再生ハイブリッド調節操作の最新の時刻において検出された座標および開始点座標を取得するよう構成された第一座標取得モジュールと；
前記第一座標取得モジュールによって取得された、前記最新の時刻において検出された前記座標と前記開始点座標の間の距離に従って前記移動距離を取得するよう構成された第一移動距離取得モジュールとを含み；
前記端末は、前記移動軌跡を取得するよう、事前設定された時間間隔で前記タッチスクリーンを検出し、時系列に基づいて最初に検出される前記移動軌跡の座標が前記タッチスクリーン上での前記ステップおよび再生ハイブリッド調節操作の前記開始点座標であり、時系列に基づいて最後に検出される前記移動軌跡の座標が前記タッチスクリーン上での前記ステップおよび再生ハイブリッド調節操作の前記最新の時刻において検出された前記座標である、
請求項６記載の装置。
【請求項８】
前記取得サブユニットは、具体的には：
前記ステップおよび再生ハイブリッド調節操作に従って前記ステップおよび再生ハイブリッド調節操作の移動軌跡を取得するよう構成された第二移動軌跡取得モジュールと；
前記ステップおよび再生ハイブリッド調節操作に従って前記ステップおよび再生ハイブリッド調節操作の前記方向を取得するよう構成された方向取得モジュールと；
前記ステップおよび再生ハイブリッド調節操作の、前記方向取得モジュールによって取得される前記方向が第一の方向から第二の方向に転向するとき、前記ステップおよび再生ハイブリッド調節操作の前記移動軌跡に従って最新の時刻において検出された座標および転向点座標を取得するよう構成された第二座標取得モジュールと；
前記第二座標取得モジュールによって取得される前記最新の時刻において検出された前記座標と前記転向点座標の間の距離に従って前記移動距離を取得するよう構成された第二移動距離取得モジュールとを含み；
前記端末は、前記移動軌跡を取得するよう、事前設定された時間間隔で前記タッチスクリーンを検出し、時系列に基づいて最後に検出される前記移動軌跡の座標が前記タッチスクリーン上での前記ステップおよび再生ハイブリッド調節操作の前記最新の時刻において検出された前記座標であり、前記転向点座標は、前記ステップおよび再生ハイブリッド調節操作の前記方向が前記第一の方向から前記第二の方向に転向した後前記端末によって検出される最初の座標であり；
前記第一の方向および前記第二の方向は事前設定された角度だけ異なっている、
請求項６記載の装置。
【請求項９】
メディア・プレーヤーおよびタッチスクリーンを有する端末に適用される再生調節装置であって：
ユーザーによって入力されるステップおよび再生ハイブリッド調節操作を受領するよう構成された受領器と；
前記受領器によって受領された前記ステップおよび再生ハイブリッド調節操作に従ってステップ・スピードおよび再生進行を調節するよう構成された処理器とを含んでおり、
前記ステップおよび再生ハイブリッド調節操作は、前記ステップ・スピードについての調整操作および前記再生進行についての調節操作を含み；
前記ステップ・スピードは、前記ユーザーが前記メディア・プレーヤー上で早送り／早戻し操作を実行するときに単位時間内に再生されるメディア・ファイルのフレームの量であり、
前記再生進行は、そこまで前記メディア・ファイルが再生されている位置である、
装置。
【請求項１０】
前記処理器が前記ステップおよび再生ハイブリッド調節操作に従って前記ステップ・スピードおよび前記再生進行を調節することは、具体的には：
前記ステップおよび再生ハイブリッド調節操作に従って前記タッチスクリーン上での前記ステップおよび再生ハイブリッド調節操作の方向および前記ステップおよび再生ハイブリッド調節操作の移動距離を取得する段階と；
前記移動距離に従って前記ステップ・スピードに対する増大させるまたは減少させる調整を実行する段階と；
調整されたステップ・スピードおよび前記方向に従って前記再生進行を調節する段階とを含み；
前記端末は、移動距離の長さ値とステップ・スピードとの間の対応を記憶している、
請求項９記載の装置。
【請求項１１】
前記処理器によって前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記移動軌跡に従って前記ステップおよび再生ハイブリッド調節操作の最新の時刻において検出された座標および開始点座標を取得する段階と；
前記最新の時刻において検出された前記座標と前記開始点座標の間の距離に従って前記移動距離を取得する段階とを含み；
前記端末は、前記移動軌跡を取得するよう、事前設定された時間間隔で前記タッチスクリーンを検出し、時系列に基づいて最初に検出される前記移動軌跡の座標が前記タッチスクリーン上での前記ステップおよび再生ハイブリッド調節操作の前記開始点座標であり、時系列に基づいて最後に検出される前記移動軌跡の座標が前記タッチスクリーン上での前記ステップおよび再生ハイブリッド調節操作の前記最新の時刻において検出された前記座標である、
請求項１０記載の装置。
【請求項１２】
前記処理器によって前記ステップおよび再生ハイブリッド調節操作に従って前記タッチスクリーン上での前記ステップおよび再生ハイブリッド調節操作の移動距離を取得することは、具体的には：
前記ステップおよび再生ハイブリッド調節操作に従って前記ステップおよび再生ハイブリッド調節操作の移動軌跡を取得する段階と；
前記ステップおよび再生ハイブリッド調節操作に従って前記ステップおよび再生ハイブリッド調節操作の前記方向を取得する段階と；
前記ステップおよび再生ハイブリッド調節操作の前記方向が第一の方向から第二の方向に転向する場合、前記ステップおよび再生ハイブリッド調節操作の前記移動軌跡に従って最新の時刻において検出された座標および転向点座標を取得する段階と；
前記最新の時刻において検出された前記座標と前記転向点座標の間の距離に従って前記移動距離を取得する段階とを含み；
前記端末は、前記移動軌跡を取得するよう、事前設定された時間間隔で前記タッチスクリーンを検出し、時系列に基づいて最後に検出される前記移動軌跡の座標が前記タッチスクリーン上での前記ステップおよび再生ハイブリッド調節操作の前記最新の時刻において検出された前記座標であり、前記転向点座標は、前記ステップおよび再生ハイブリッド調節操作の前記方向が前記第一の方向から前記第二の方向に転向した後前記端末によって検出される最初の座標であり；
前記第一の方向および前記第二の方向は事前設定された角度だけ異なっている、
請求項１０記載の装置。
【手続補正２】
【補正対象書類名】明細書
【補正対象項目名】００１１
【補正方法】変更
【補正の内容】
【００１１】
第二の側面の第一の可能な実装様式を参照するに、第二の側面の第二の可能な実装様式では、前記取得サブユニットは、具体的には：
ステップおよび再生ハイブリッド調節操作に従ってステップおよび再生ハイブリッド調節操作の移動軌跡を取得するよう構成された第一移動軌跡取得モジュールと；
前記移動軌跡に従ってステップおよび再生ハイブリッド調節操作の最新の時刻において検出された座標および開始点座標を取得するよう構成された第一座標取得モジュールと；
第一座標取得モジュールによって取得された、前記最新の時刻において検出された座標と開始点座標の間の距離に従って前記移動距離を取得するよう構成された第一移動距離取得モジュールとを含み；
前記端末は、前記移動軌跡を取得するよう、事前設定された時間間隔でタッチスクリーンを検出し、時系列に基づいて最初に検出される前記移動軌跡の座標が前記タッチスクリーン上でのステップおよび再生ハイブリッド調節操作の前記開始点座標であり、時系列に基づいて最後に検出される前記移動軌跡の座標が前記タッチスクリーン上でのステップおよび再生ハイブリッド調節操作の前記最新の時刻において検出された座標である。
【手続補正３】
【補正対象書類名】明細書
【補正対象項目名】００１５
【補正方法】変更
【補正の内容】
【００１５】
第三の側面の第一の可能な実装様式を参照するに、第三の側面の第二の可能な実装様式では、前記処理器によってステップおよび再生ハイブリッド調節操作に従ってタッチスクリーン上でのステップおよび再生ハイブリッド調節操作の移動距離を取得することは、具体的には：
ステップおよび再生ハイブリッド調節操作に従ってステップおよび再生ハイブリッド調節操作の移動軌跡を取得する段階と；
前記移動軌跡に従ってステップおよび再生ハイブリッド調節操作の最新の時刻において検出された座標および開始点座標を取得する段階と；
前記最新の時刻において検出された座標と開始点座標の間の距離に従って前記移動距離を取得する段階とを含み；
前記端末は、前記移動軌跡を取得するよう、事前設定された時間間隔でタッチスクリーンを検出し、時系列に基づいて最初に検出される前記移動軌跡の座標が前記タッチスクリーン上でのステップおよび再生ハイブリッド調節操作の前記開始点座標であり、時系列に基づいて最後に検出される前記移動軌跡の座標が前記タッチスクリーン上でのステップおよび再生ハイブリッド調節操作の前記最新の時刻において検出された座標である。
【国際調査報告】
2016539441.tif 000019
2016539441.tif 000020
2016539441.tif 000021
2016539441.tif 000022